(57)【要約】      （修正有）【課題】中空筒状管を利用した薬草や根菜などの根茎類の栽培において、収穫作業を簡潔に、且つ、短時間に済ますことが可能な器具を提供する。【解決手段】受け台に土塊６が抜け落ちるための土塊通過穴２ａと、栽培用中空筒状管５を所定位置に落下させるために案内板３を設け、受け台底面から土塊通過穴までの高さは、少なくとも栽培用中空筒状管内に収納されている土塊の長さ以上であり、土塊通過穴の径方向外縁部から案内板立設部までの間隔は、少なくとも栽培用中空筒状管の肉厚以上とし、さらに、受け台の接地面にソリ状板を設けた土塊取出し器具により、作業の省力化を図る。【選択図】図２
0003152024.tif 000002
【実用新案登録請求の範囲】
【請求項１】
基台となる受け台に、栽培用中空筒状管に固着した土塊が抜け落ちるための通過穴を設けるとともに、当該栽培用中空筒状管を所定位置に落下させるための案内板を設けることを特徴とする土塊取出し器具。
【請求項２】
請求項１記載の土塊取出し器具において、受け台底面から受け台に設けられた通過穴までの高さが、少なくとも栽培用中空筒状管内に収納されている土塊の長さ以上である、ことを特徴とする土塊取出し器具。
【請求項３】
請求項１記載の土塊取出し器具において、受け台に設けられた通過穴の径方向外縁部から案内板立設部までの間隔が、少なくとも栽培用中空筒状管の肉厚以上である、ことを特徴とする土塊取出し器具。
【請求項４】
請求項１記載の土塊取出し器具において、当該土塊取出し器具の接地面にソリ状板を設ける、ことを特徴とする土塊取出し器具。
【考案の詳細な説明】
【技術分野】
【０００１】
本考案は、薬草など根茎類の栽培用器具の中に固着した土塊を落下させて取り出すための器具に関するものである。
【背景技術】
【０００２】
甘草に代表される薬草は、高温・乾燥地帯を好む外来品種である故に、日本の比較的多湿な気候風土で栽培するには、中空筒状管などの容器を用いた地表隔離床の環境が適している。中空筒状管を地表に垂直に立てて、風雨に晒さないように薬草を栽培すると、地下茎の生長を促しやすい。また、このように太く長く成長した地下茎は市場商品価値が高まりやすいことは言うまでもない。
【０００３】
また、甘草などの根茎植物を所定の容器で栽培するのと同様に、筒状の容器を用いて長芋や牛蒡などの地下根茎野菜等を栽培する方法が知られている。そして、これら根茎野菜の生育時の収穫方法としては、この容器の形状のうち一方端を幅広に形成して容器内の根茎野菜と栽培用の土壌とを一緒に引き出す方法が提案されている（例えば、特許文献１参照）。さらに、栽培容器の一面を形成している平板を引き抜いて取り外すことにより、容器内の根菜を簡単に取り出せるようにした容器が提案されている（例えば、特許文献２参照）。
【先行技術文献】
【特許文献】
【０００４】
【特許文献１】特開昭６１−７８３３３号公報
【特許文献２】特開平６−１６９６４５号公報
【非特許文献】
【０００５】
【非特許文献１】第４回甘草に関するシンポジウム  平成２０年６月２８日  講演要旨集
【非特許文献２】日本工業規格  ＪＩＳ  Ｇ３１９２  Ｈ形鋼
【考案の概要】
【考案が解決しようとする課題】
【０００６】
こうして容器を用いて栽培した根茎野菜や薬草などの地下茎は、幹根が太く成長して、土壌は経年変化で土塊となる。このため、収穫時期などに至ってこのような土塊になると、中空筒状管から土塊を取り出そうとしてもなかなか取り出せない。また、土塊を取り出し易い容器とすると構造が複雑になり、収穫物を取り出す際に容器を分解したり、再利用のために再度組み立て作業が必要となるなど、追加の手間が必要となっていた。このため、中空筒状管から地下茎を取り出すには、シャベルなどの道具を使って土塊を破砕して地下茎を掘り出さなければならず、労力と時間を要するという課題がある。そこで、本考案は、畑などの地中栽培と違い、中空筒状管による地表栽培であるため、収穫物の移動運搬が容易である点に着目し、収穫作業を簡単に且つ短時間に上記課題を解決できる器具を実現しようとするものである。
【課題を解決するための手段】
【０００７】
本考案の目的を達成するために、本考案の土塊取出し器具は以下の構成を備える。
【０００８】
基台となる受け台に、栽培用中空筒状管に固着した土塊が抜け落ちるための通過穴を設けるとともに、当該栽培用中空筒状管を所定位置に落下させるための案内板を設けることを特徴とする土塊取出し器具である。
【０００９】
上記の土塊取出し器具において、受け台底面から受け台に設けられた通過穴までの高さが、少なくとも栽培用中空筒状管内に収納されている土塊の長さ以上である、ことを特徴とする土塊取出し器具である。
【００１０】
上記の土塊取出し器具において、受け台に設けられた通過穴の径方向外縁部から案内板立設部までの間隔が、少なくとも栽培用中空筒状管の肉厚以上である、ことを特徴とする土塊取出し器具である。
【００１１】
上記の土塊取出し器具において、当該土塊取出し器具の受け台底面をソリ状に形成するかまたは受け台の底面にソリ状板を設ける、ことを特徴とする土塊取出し器具である。
【考案の効果】
【００１２】
本考案の土塊取出し器具によれば、栽培用中空筒状管を上方から受け台に向かって落下させ、中空筒状管自体に落下時の衝撃を与えることにより、その衝撃と慣性で管内部に収容された土塊が中空筒状管から抜け落ちるため、薬草などの根茎や土塊は、スムーズに且つ簡単に除去作業を行うことができる。
【図面の簡単な説明】
【００１３】
【図１】本考案に係る土塊取出し器具の形状構成を示す外観斜視図
【図２】本考案に係る土塊取出し器具の作業実施例を示す外観斜視図
【図３】本考案に係る土塊取出し器具の作業実施例を示す外観斜視図
【図４】本考案に係る土塊取出し器具の作業実施例を示す外観斜視図
【考案を実施するための形態】
【００１４】
本考案は、大略、土塊取出し器具の基台となる受け台と、中空筒状管の落下点を位置決めするための案内役となる案内板と、土塊取出し器具を移動するためのソリ状板を設けることから成る。
【実施例】
【００１５】
以下、添付図面に従って一構成例を説明する。図１は、本考案である土塊取出し器具の構成を示す。１は本考案である土塊取出し器具の全体構成を示し、２は両端が開放した中空筒状管を受け止めるための基台となる受け台を示す。また、２ａは土塊のみが通り抜けるために、受け台の一部に設けられた通過穴である。また、この通過穴の周囲には、中空筒状管が落下しないように当該管の径方向の厚さと略同じ幅の間隔を空けて、案内板が設けられている。これにより、中空筒状管は、上方から落下させた際に案内板に沿って通過穴の直前で管自体の落下が阻止される構造となっている。つまり、受け台上部に設けられた通過穴の周囲に設けられている管の厚みと略同じ長さの受け台の一部により管は落下を阻まれ、その衝撃で容器内の土塊と収穫期の薬草のみが、通過穴を通り抜けて落下する仕組みになっている。さらに、３は中空筒状管の位置決めをする際、案内役となる案内板を示す。４は土塊取出し器具が栽培圃場などの目的地まで移動できるように、受け台の底面にソリ状板を配置しているが、受け台自体の底面をソリ状の板としてもよい。
【００１６】
受け台２と案内板３及びソリ状板４は、作業において中空筒状管の落下衝撃に耐えるよう、材質を主に金属で構成することが望ましい。実施例では、受け台２は、既存のＨ形鋼などを切断して用いているため、その重剛性によって土塊取出し器具が作業中に揺れたり歪んだりすることはない。案内板３やソリ状板４は、鉄板をプレス機で湾曲することにより、その形状を作り上げることができる。これらは、溶接やボルトなどの固定方法を用いれば、強度や剛性については全く問題なく接合する。
【００１７】
ここで、案内板３は、図１に示す実施例では受け台と一体形状を成しているが、本来の案内役になるのであれば、複数の柱状などによる構成でも何ら問題ないし、中空筒状管の断面形状に合わせて幅や高さなどの形状を合わせてもよい。また、土塊通過穴２ａの断面形状は、中空筒状管の肉厚と断面形状に合わせることにより、スムーズに土塊落下を促すことができる。更に、図１では、受け台の上部を所定の大きさの平板状とし、その面上に案内板３と土塊通過穴２ａとを設け、案内板を背中合わせとして互い違いに組状に設けることで作業が両方向から同時進行が可能なように示している。もちろん、単体構成でももちろんよいし、複数の組にして配置しても構わない。なお、受け台２の底面からの高さは、Ｈ形鋼などの日本工業規格の中から、中空筒状管と土塊の長さに合った高さを選択することが望ましい。
【００１８】
図２、図３、図４は、土塊取出し器具１を使用して、甘草に代表される薬草及び地下茎を中空筒状管より取り出す作業の実施例を順に示す。５は中空筒状管、６は土塊、７は薬草と図示していないが地下茎を示している。ここで中空筒状管５は、図示では円筒状としているが、角筒状やその他形状でもよい。
【００１９】
図２は、取り出し作業において初期の動作を示したものである。土塊６と薬草及び地下茎７を取り出そうとする中空筒状管５を案内板１の上方周辺に当てつつ、中空筒状管５は受け台に進入するよう案内板１に沿って真っ直ぐに落下する。この時、落下に加えて加速を与えることにより、受け台１との衝突の際の衝撃が増長し効果は得られやすい。図３は、落下した中空筒状管５は、受け台３の上で肉厚分の距離で係り受け静止する、状態を示す。ここで、根菜及び地下茎７は、図示のように中空筒状管５の中を葉茎が通り抜けさえすればよく、茎から剪断せずともなんら問題はない。
【００２０】
図４は、静止した中空筒状管５の中より、落下の慣性で土塊６が土塊通過穴２ａから抜け出した状態を示す。受け台２は、土塊６の高さと同程度が望ましい。
【００２１】
なお、本実施例では、通過穴とその周囲に設けた案内板との間に所定幅の間隔が設けられているが、こうした間隔を設けない場合は、中空筒状管の外周面の一部に所定幅のツバを設けてもよい。しかも、ツバの取り付け位置により、土塊の落下する長さ、すなわち中空円筒状管から取り出す土塊の長さを調整することができる。このため、土塊の硬さに応じて落下時の衝撃を和らげることができ、これにより根茎作物の損傷を防止することも可能となる。
【００２２】
また、図示していないが、ソリ状板にストッパー付き車輪などを設置することにより、本考案である土塊取出し器具１の運搬移動は容易に行うことが出来る。また、栽培される植物としては、主に薬草について説明したが、もちろんこれに限定されることはなく、根菜類はもとより、根茎や根部を利用する野菜等の植物であれば良く、これらの植物の栽培に広く用いられることは言うまでもない。
【符号の説明】
【００２３】
１    土塊取出し器具
２    受け台
２ａ    土塊通過穴
２ｂ    受け台底面
３    案内板
３ａ    案内板最下部
４    ソリ状板
５    中空筒状管
６    土塊
７    薬草及び地下茎
【図１】
0003152024.tif 000003
【図２】
0003152024.tif 000004
【図３】
0003152024.tif 000005
【図４】
0003152024.tif 000006